(57)【要約】【課題】従来の乗用型走行車体は、車体上に設けた操縦用の座席の前方と左右とに機体カバーであるメインステップを設けると共に、その左右ステップ部の更に左右外側方位置に左右サイドステップが別に設けられている構成であって、ステップの構成及びその支持及び取付け構成が複雑で、軽量で安価な乗用型走行車体を提供できるものではなかった。【解決手段】座席３１の前方及び左右側方に機体カバー３５を備えた乗用型走行車体において、該機体カバー３５を座席３１の前方に位置する前部カバー３５ａと座席３１の左右側方に位置する左右カバー３５ｂ・３５ｂと座席３１の下方に位置する座席下部カバー３０とに分割構成した乗用型走行車体。【選択図】  図４
2004322676.tif 000002
【特許請求の範囲】
【請求項１】
座席３１の前方及び左右側方に機体カバー３５を備えた乗用型走行車体において、該機体カバー３５を座席３１の前方に位置する前部カバー３５ａと座席３１の左右側方に位置する左右カバー３５ｂ・３５ｂと座席３１の下方に位置する座席下部カバー３０とに分割構成したことを特徴とする乗用型走行車体。
【請求項２】
前部カバー３５ａ及び左右カバー３５ｂ・３５ｂ前部の上面に平坦な面よりなるステップが形成されていることを特徴とする請求項１記載の乗用型走行車体。
【請求項３】
左右カバー３５ｂ・３５ｂ及び座席下部カバー３０の後部上面に、前部カバー３５ａ及び左右カバー３５ｂ・３５ｂ前部の上面に形成されたステップよりも高い位置で平坦な面よりなるステップ３５ｂ’・３５ｂ’・３０ｂが形成されていることを特徴とする請求項２記載の乗用型走行車体。
【発明の詳細な説明】
【０００１】
【発明の属する技術分野】
本発明は、座席の前方及び左右側方に機体カバーを備えた乗用型走行車体に関するものである。
【０００２】
【従来の技術】
従来、乗用型田植機の乗用型走行車体において、操縦者や作業者が車体上に立って作業を行ったり車体上を移動する為に、車体上に設けた操縦用の座席の前方と左右とに機体カバーであるメインステップ（中央ステップ部と左右ステップ部）を設けると共に、その左右ステップ部の更に左右外側方位置に左右サイドステップが別に設けられている。
【０００３】
【特許文献１】
特開平７−１３２００３号公報（第１頁）
【０００４】
【発明が解決しようとする課題】
然しながら、上記従来の機体カバーであるステップの構成は、メインステップの外側に別にサイドステップを設けた構成であって、ステップの構成及びその支持及び取付け構成が複雑で、軽量で安価な乗用型走行車体を提供できるものではなかった。
【０００５】
【課題を解決するための手段】
上記課題を解決するために請求項１記載の発明は、座席３１の前方及び左右側方に機体カバー３５を備えた乗用型走行車体において、該機体カバー３５を座席３１の前方に位置する前部カバー３５ａと座席３１の左右側方に位置する左右カバー３５ｂ・３５ｂと座席３１の下方に位置する座席下部カバー３０とに分割構成した乗用型走行車体としたものである。
【０００６】
従って、乗用型走行車体の大きさに応じて、前部カバー３５ａと左右カバー３５ｂ・３５ｂとを重ならないように機体上に並べて平面視での面積が広い状態から、左右方向若しくは前後方向で重ねて、又は、左右方向と前後方向の両方向で重ねて、その平面視での面積を狭くした状態に自由に変更でき、一組の機体カバー３５で複数の大きさの異なる乗用型走行車体の機体カバーを構成できて、生産コストが下がり、安価な乗用型走行車体を提供することができる。
【０００７】
請求項２記載の発明は、前部カバー３５ａ及び左右カバー３５ｂ・３５ｂ前部の上面に平坦な面よりなるステップが形成されている請求項１記載の乗用型走行車体としたものである。
従って、請求項１記載の発明の作用に加えて、乗用型走行車体の大きさに応じて、前部カバー３５ａと左右カバー３５ｂ・３５ｂとを重ならないように機体上に並べて平面視での面積が広い状態から、左右方向若しくは前後方向で重ねて、又は、左右方向と前後方向の両方向で重ねて、その平面視での面積を狭くした状態に変更することにより、大きさの異なる乗用型走行車体に適したステップ面積を得ることができて、車体上で安全に移動でき、また、各種作業を行う場合にはその作業性も良い。
【０００８】
請求項３記載の発明は、左右カバー３５ｂ・３５ｂ及び座席下部カバー３０の後部上面に、前部カバー３５ａ及び左右カバー３５ｂ・３５ｂ前部の上面に形成されたステップよりも高い位置で平坦な面よりなるステップ３５ｂ’・３５ｂ’・３０ｂが形成されている請求項２記載の乗用型走行車体としたものである。
【０００９】
従って、請求項１記載の発明及び請求項２記載の発明の作用に加えて、乗用型走行車体の大きさに応じて、前部カバー３５ａと左右カバー３５ｂ・３５ｂとを重ならないように機体上に並べて平面視での面積が広い状態から、左右方向若しくは前後方向で重ねて、又は、左右方向と前後方向の両方向で重ねて、その平面視での面積を狭くした状態に変更することにより、車体後部の高い位置に大きさの異なる乗用型走行車体に適したステップ面積を得ることができて、車体後部での各種作業を行う場合にその作業性が良い。
【００１０】
【発明の効果】
本発明の構成にすれば、乗用型走行車体の大きさに応じて、前部カバー３５ａと左右カバー３５ｂ・３５ｂとを重ならないように機体上に並べて平面視での面積が広い状態から、左右方向若しくは前後方向で重ねて、又は、左右方向と前後方向の両方向で重ねて、その平面視での面積を狭くした状態に自由に変更でき、一組の機体カバー３５で複数の大きさの異なる乗用型走行車体の機体カバーを構成できて、生産コストが下がり、安価な乗用型走行車体を提供することができる。
【００１１】
従って、従来技術の課題を簡潔な構成で解消することができる。
【００１２】
【発明の実施の形態】
以下、図面に表された実施の形態について説明する。図１及び図２は水田作業機の一例である乗用型田植機を表している。この乗用型田植機１は、乗用型走行車体２の後方に昇降リンク装置３を介して１０条植えの苗植付部４が昇降可能に装着されている。
【００１３】
乗用型走行車体２は、機体の前部に配したミッションケース１０の左右側方に前輪ファイナルケース１１，１１を設け、該前輪ファイナルケースから外向きに突出する前輪車軸に前輪１２，１２を取り付けると共に、ミッションケ−ス１０の背面部に前端部が固着されたメインフレーム１３の後端部に後輪ギヤケース１４，１４をローリング自在に支持し、該後輪ギヤケースから外向きに突出する後輪車軸に主後輸１５，１５及び補助後輪１６，１６，１７，１７を取り付けている。
【００１４】
エンジン２０はメインフレーム１３の上に搭載されている。そのエンジン２０の回転動力が、第一ベルト伝動装置２１及び変速機能付きの第二ベルト伝動装置２２によってミッションケース１０へ伝達される。ミッションケース１０に伝達された回転動力は、該ケース内の主変速装置にて変速された後、走行動力と植付動力に分離して取り出される。そして、走行動力は、一部が前輪ファイナルケース１１，１１に伝達されて前輪１２，１２を駆動すると共に、残りが後輪伝動軸２３，２３を介して後輪ギヤケース１４，１４に伝達されて後輪１５，１５，１６，１６，１７，１７を駆動する。また、植付動力は、第一植付伝動軸２４・第二植付伝動軸２６を介して苗植付部４へ伝達される。
【００１５】
エンジン２０は後記座席下部カバー３０で覆われており、その上に座席３１が設置されている。座席３１の前方部には各種操作機構を内蔵するボンネット３２が設けられており、その上方に前輪１２，１２を操向操作するハンドル３３が設けられている。座席３１及びボンネット３２の周辺部には各種操作レバーが設けられている。Ｌ１は主変速レバーで、主変速装置のギヤチエンジをする。Ｌ２は変速レバーで、第二ベルト伝動装置２２の変速操作をする。Ｌ３は植付昇降レバーで、苗植付部の昇降と植付クラッチの入・切を行う。
【００１６】
そして、座席下部カバー３０の前部はエンジン２０の上部を覆うエンジンカバー部３０ａとなっており、座席下部カバー３０の後部は上面が平坦な面に形成されて中央リヤステップ３０ｂとなっている。
機体カバー３５は、前部カバー３５ａと左右カバー３５ｂ・３５ｂと前記座席下部カバー３０の４つのカバーにて分割構成されている。そして、前部カバー３５ａの上面は作業者が歩けるように平坦なステップになっており、ステアリング機構等の構成部材が貫通する孔３５ａ’が形成されている。尚、孔３５ａ’の上部にボンネット３２が配置される。また、左右カバー３５ｂ・３５ｂの前部上面は、前部カバー３５ａの上面と同一平面となる平坦なステップが形成されており、左右カバー３５ｂ・３５ｂの後部は上方に折れ曲がって高くなって、後端部には座席下部カバー３０の後部中央リヤステップ３０ｂの上面と略同一平面となる平坦な左右リヤステップ３５ｂ’・３５ｂ’が形成されている。
【００１７】
そして、この１０条植え乗用型田植機に用いた例を示す第１実施例では、図４に示すように、前部カバー３５ａの後端部に左右カバー３５ｂ・３５ｂを接当させた状態で、前部カバー３５ａと左右カバー３５ｂ・３５ｂの前部とが平坦な平面状のステップを構成している。そして、左右カバー３５ｂ・３５ｂの間に座席下部カバー３０を配置して、座席下部カバー３０の後部中央リヤステップ３０ｂと左右リヤステップ３５ｂ’・３５ｂ’とが略同一平面となる平坦な高い位置にある後部ステップを構成している。
【００１８】
３６・３６は帯鋼にて桟状に形成された左右拡張ステップであって、各々左右カバー３５ｂ・３５ｂの左右外側部に連結ピン３６ａ・３６ａにて回動自在に支持されている。そして、左右拡張ステップ３６・３６を外方に展開回動した時には、左右カバー３５ｂ・３５ｂ前部の平坦な平面状のステップと同一面のステップになり、左右拡張ステップ３６・３６を内方に回動した時には、左右カバー３５ｂ・３５ｂの上面に接当して収納された状態になるように構成されている。
【００１９】
３７・３７はループ状に形成された鉄製の棒材の上面に溶接固定された鉄板製の昇降ステップであって、各々左右カバー３５ｂ・３５ｂの左右外側部下方に取り付けられており、左右拡張ステップ３６・３６を内方に回動した収納状態で、操縦者又は作業者が機体への乗り降り時に足を掛けて容易に且つ安全に機体への乗り降りが行なえるように設けられている。
【００２０】
３８・３８は帯鋼にて桟状に形成された補助リヤステップであって、各々左右カバー３５ｂ・３５ｂの左右外側部に位置して機体に設けたフレーム３９に連結ピン３８ａ・３８ａにて回動自在に支持されている。そして、補助リヤステップ３８・３８を外方に展開回動した時には、左右カバー３５ｂ・３５ｂ後部の左右リヤステップ３５ｂ’・３５ｂ’と同一面のステップになり、補助リヤステップ３８・３８を内方に回動した時には、起立して収納された状態になるように構成されている。
【００２１】
尚、左右拡張ステップ３６・３６の左右外側部下方に昇降ステップ３７・３７を取り付けた構成にすれば、左右拡張ステップ３６・３６を内方に回動した収納状態にしなくとも、左右拡張ステップ３６・３６を外方に展開回動したステップの状態で、操縦者又は作業者は機体への乗り降り時に昇降ステップ３７・３７に足を掛けて容易に且つ安全に機体への乗り降りが行なえて、作業性が良い。
【００２２】
４０は苗枠であって、機体より上方に立設した支柱４０ａ…の上部に左右方向に長く梯子状に形成した苗載部４０ｂを固定して構成され、該苗載部４０ｂ上に補給用の複数の苗箱を左右方向に並列して載置できる構成となっている。
４１・４１は上記苗枠４０の左右最外側の支柱４０ａ・４０ａに基部が固定された左右補助座席であって、苗枠４０上に載置された補給用の複数の苗箱から苗を苗掬い板にて取出して苗載台６１に苗を供給する作業等を行う補助作業者が座る為の補助座席である。そして、左右最外側の支柱４０ａ・４０ａには固定ピンが設けられており、補助リヤステップ３８・３８の左右外側部に設けたフックを該固定ピンに引っ掛けて、補助リヤステップ３８・３８を内方に回動して起立収納した状態で固定できる構成となっている。
【００２３】
４４は次行程で機体の左右中心が通る位置の目印を水田面に線引きする線引きマーカである。４５は前行程で植付けた最外側の既植条の位置を示すサイドマーカである。４６は機体の左右中心を示す指標となるセンターマーカである。このセンターマーカ４６は、適当な長さに伸ばした状態で機体側方に転倒させれば、機体側方の対象物、例えば畦までの距離を示す指標となる。
【００２４】
昇降リンク装置３は、メインフレーム１３の後端部に固定して設けたリンクベースフレーム５０に回動自在に取り付けられた上リンク５１及び下リンク５２，５２を備え、これら上下リンクの後端部に縦リンク５３が連結されている。そして、縦リンク５３の下端部から後方に突出する軸受部に苗植付部側に固着した連結軸５４が回転自在に挿入連結され、苗植付部４が連結軸５４を中心にしてローリング自在に装着される。基部側がメインフレーム１３に固着した支持部材に枢支され、ピストンロッド側が上リンク５１の基部に一体に設けたスイングアーム５６の下端部に連結されている油圧シリンダ５７を伸縮させると、各リンク５１，５２，５２が上下に回動し、苗植付部４がほぼ一定姿勢のまま昇降する。
【００２５】
苗植付部４は１０条植えの構成で、フレームを兼ねる伝動ケース６０、苗を載せておく苗載台６１、該苗載台上の苗を圃場に植え付ける植付条数分の苗植付装置６２，…、苗植付けに先行して泥面を整地するフロート６３，…等を備えている。フロート６３，…が泥面に接地する位置まで苗植付部４を下降させ、乗用型走行車体２を前進させると、フロート６３，…が泥面を滑走して整地し、その整地跡に苗植付装置６２，…が苗載台６１の苗を植付ける。
【００２６】
図３に示すように、伝動ケース６０は、左右中央部に位置する苗載台駆動ケース６５の背面に植付伝動ケース６６−３の前端部を固着し、また苗載台駆動ケース６５の左右側面に第一連結パイプ６７，６７の内端部を固着し、その第一連結パイプ６７，６７の外端部に植付伝動ケース６６−２，６６−４の前部内面を固着し、その植付伝動ケース６６−２，６６−４の前部外面に第二連結パイプ６８，６８の内端部を固着し、その第二連結パイプ６８，６８の外端部に植付伝動ケース６６−１，６６−５の前部内面を固着した構成になっている。各植付伝動ケース６６−１〜６６−５の後部には植付駆動軸６９，…が支承され、該植付駆動軸の左右突出部に苗植付装置６２が取り付けられている。
【００２７】
乗用型走行車体２のミッションケ−ス１０より伝動される苗植付部駆動用動力が、伝動ケース６０の入力部に伝動される。その回転動力が、苗載台駆動ケース６５の下部を貫通して植付伝動ケース６６−２〜６６−４の前部と第一連結パイプ６７，６７の内部に支承されたセンター植付主軸７０Ｃに伝えられ、更に、植付畦クラッチ７１−２〜７１−４によってセンター植付主軸７０Ｃと伝動入・切可能なチエン７２，…を介して植付伝動ケース６６−２〜６６−４の各植付駆動軸６９，…へ伝動される。また、センター植付主軸７０Ｃの回転動力が、植付畦クラッチ７１−１，７１−５によって、第二連結パイプ６８，６８の内部と植付伝動ケース６６−１，６６−５の前部に支承されたサイド植付主軸７０Ｌ，７０Ｒに伝動入・切可能に伝えられ、更にサイド植付主軸７０Ｌ，７０Ｒからチエン７２，７２を介して植付伝動ケース６６−１，６６−５の植付駆動軸６９，６９へ伝動される。各植付畦クラッチ７１，…は個別に入・切操作するようになっているので、苗植付装置６２，…を２条を１ユニットとして駆動停止させることができる。
【００２８】
図５は、６条植え乗用型田植機の乗用型走行車体２に機体カバー３５を装着する場合の例を示すものであって、６条植え乗用型田植機の左右幅は１０条植え乗用型田植機の左右幅に比べて狭いので、乗用型走行車体２の機体カバー３５の左右幅も狭くて良い。従って、上記実施例と同じ前部カバー３５ａと左右カバー３５ｂ・３５ｂと座席下部カバー３０を用いて、前部カバー３５ａの後端部下方に左右カバー３５ｂ・３５ｂの前端部を挿入した状態で、左右カバー３５ｂ・３５ｂの間隔を狭めた状態とし、左右カバー３５ｂ・３５ｂ間の中央部上に座席下部カバー３０を左右カバー３５ｂ・３５ｂの内側部と重なった状態で配置する。
【００２９】
このように前部カバー３５ａと左右カバー３５ｂ・３５ｂと座席下部カバー３０とを配置すると、同じ機体カバー３５を用いて左右幅の狭い乗用型走行車体２に幅狭い機体カバーを構成できる。従って、１０条植え・８条植え・７条植え・６条植え・５条植え・４条植えと謂うように植付条数に応じて、乗用型田植機の乗用型走行車体２の左右幅に適した機体のカバーを同じ前部カバー３５ａと左右カバー３５ｂ・３５ｂと座席下部カバー３０にて構成できて、生産コストが下がり、安価な乗用型田植機を提供することができる。また、左右カバー３５ｂ・３５ｂの前部上面のステップ及び左右リヤステップ３５ｂ’・３５ｂ’が植付条数に応じて適切な広さのステップ面積となるので、車体上で安全に移動でき、また、畦から機体上への苗の積込み作業や苗枠４０から苗載台６１への苗供給作業等の各種作業を行う場合にその作業性が良い。
【００３０】
図６は他の例を示し、機体カバー部とボンネット部とを前後２つの前カバー８０ａと後カバー８０ｂで構成し、該２つの前後カバー８０ａ・８０ｂの左右外側部で前後方向中央部下方位置に機体への乗り降り用の左右補助ステップ８１・８１を配置している。そして、該左右補助ステップ８１・８１は、機体に対して垂直方向に上下動自在に支持構成された前上下動軸８２と後上下動軸８３とに固定されている。また、前上下動軸８２には前カバー８０ａの下部がリンク部材８４にて固着され、後上下動軸８３には後カバー８０ｂの下部がリンク部材８５にて固着されている。
【００３１】
従って、図６の（イ）に示すように、左右補助ステップ８１・８１を下方に下げて作業状態にした時（即ち、前上下動軸８２と後上下動軸８３とを下方に移動させた時）には、前カバー８０ａと後カバー８０ｂとは機体を覆う状態となって、通常の田植作業が行える。そして、機体の点検や修理を行う時には、図６の（ロ）に示すように、左右補助ステップ８１・８１を上方に上げる（即ち、前上下動軸８２と後上下動軸８３とを上方に移動させる）と、簡単な操作で前カバー８０ａと後カバー８０ｂとは機体を覆う状態から各々前方と後方に傾斜して、機体がむき出しとなり、容易に機体の点検や修理が行える。尚、前上下動軸８２と後上下動軸８３とは、通常の固定フック等の固定手段にて上動位置と下動位置とで固定できる構成にしておく。また、左右補助ステップ８１・８１を上下動させる代わりに、前カバー８０ａ若しくは後カバー８０ｂの何れかを前後傾斜させて開ければ、左右補助ステップ８１・８１が上動して他方のカバーも前後傾斜して開き、そして、前カバー８０ａ若しくは後カバー８０ｂの何れかを閉じれば、左右補助ステップ８１・８１が下動して他方のカバーも閉じる。
【００３２】
図７は更に他の例を示し、機体カバー部とボンネット部とを左右２つの左カバー９０ａと右カバー９０ｂで構成し、該２つの左右カバー９０ａ・９０ｂの左右外側部で前後方向中央部下方位置に機体への乗り降り用の左右補助ステップ９１・９１を配置している。そして、左右カバー９０ａ・９０ｂは、各々リンク部材９２・９２にて機体に左右方向に移動自在に支持されている。
【００３３】
従って、図７の（イ）に示すように、リンク部材９２・９２にて機体内方に左右カバー９０ａ・９０ｂを収納した作業状態にすれば、左右カバー９０ａ・９０ｂは機体を覆う状態となって、通常の田植作業が行える。そして、機体の点検や修理を行う時には、図７の（ロ）に示すように、リンク部材９２・９２にて機体外方に左右カバー９０ａ・９０ｂを各々移動した開放状態にすれば、機体がむき出しとなり、容易に機体の点検や修理が行える。尚、リンク部材９２・９２は、通常の固定フック等の固定手段にて左右カバー９０ａ・９０ｂが収納した作業状態と開放状態とで固定できるように構成にしておく。
【図面の簡単な説明】
【図１】苗移植機の側面図である。
【図２】苗移植機の平面図である。
【図３】苗植付部の一部を省略した平面図である。
【図４】機体カバー３５を１０条植え乗用型田植機の機体に装着する作用説明用の平面図である。
【図５】機体カバー３５を６条植え乗用型田植機の機体に装着する作用説明用の平面図である。
【図６】他の実施例を示す作用説明用の概略側面図である。
【図７】他の実施例を示す作用説明用の概略断面図である。
【符号の説明】
１  乗用型田植機
２  乗用型走行車体
３  昇降リンク装置
４  苗植付部
３０  座席下部カバー
３１  座席
３５  機体カバー
３５ａ  前部カバー
３５ｂ  左右カバー
【図１】
2004322676.tif 000003
【図２】
2004322676.tif 000004
【図３】
2004322676.tif 000005
【図４】
2004322676.tif 000006
【図５】
2004322676.tif 000007
【図６】
2004322676.tif 000008
【図７】
2004322676.tif 000009